(57)【要約】【課題】通信端末の仕様を変更した場合の設定をしやすくする。【解決手段】設定補助システムＳは、通信回線を利用した通信が可能な第１通信端末３及び第２通信端末４と、第２通信端末４に情報を提供する設定補助装置と、を備える設定補助システムであって、設定補助装置１は、第１通信端末３の設定画面に対応する第１設定画面を表示装置２に表示させる表示制御部１２と、第１設定画面において設定された設定内容を第１通信端末３と異なる第２通信端末４に設定させるための設定情報を作成する情報作成部１５と、情報作成部１５が作成した設定情報を第２通信端末４に送信する装置通信部１１と、を有し、第２通信端末４は、設定補助装置１から設定情報を受信すると、設定情報に基づいて、第２通信端末４の設定内容を更新する設定管理部４４２を有する。【選択図】図２
2018056754.tif 000002
【特許請求の範囲】
【請求項１】
通信回線を利用した通信が可能な通信端末と、前記通信端末に情報を提供する設定補助装置と、を備える設定補助システムであって、
前記設定補助装置は、
第１通信端末の設定画面に対応する第１設定画面を表示装置に表示させる表示制御部と、
前記第１設定画面において設定された設定内容を前記第１通信端末と異なる第２通信端末に設定させるための設定情報を作成する情報作成部と、
前記情報作成部が作成した前記設定情報を前記第２通信端末に送信する装置通信部と、
を有し、
前記第２通信端末は、前記設定補助装置から前記設定情報を受信すると、前記設定情報に基づいて、前記第２通信端末の設定内容を更新する設定管理部を有する設定補助システム。
【請求項２】
前記表示制御部は、前記情報作成部が作成した前記設定情報に基づいて設定内容が設定された状態の、前記第２通信端末の設定画面に対応する第２設定画面を前記表示装置に表示させる、
請求項１に記載の設定補助システム。
【請求項３】
前記表示制御部は、前記第１設定画面において前記第２設定画面と異なる箇所を、前記第２設定画面と同一の箇所と異なる態様で前記表示装置に表示させる、
請求項２に記載の設定補助システム。
【請求項４】
前記表示制御部は、前記第１設定画面において設定内容が更新されると、前記第１設定画面において更新された設定内容と同等の設定内容に、前記第２設定画面における設定内容を更新する、
請求項２又は３に記載の設定補助システム。
【請求項５】
前記設定管理部は、前記情報作成部が作成した前記設定情報に基づいて設定内容が設定された状態の第２設定画面を、前記第２通信端末が有する端末表示部に表示させる、
請求項１に記載の設定補助システム。
【請求項６】
前記設定管理部は、前記第１設定画面を前記端末表示部にさらに表示させる、
請求項５に記載の設定補助システム。
【請求項７】
前記設定管理部は、前記第１設定画面において前記第２設定画面と異なる箇所を、前記第２設定画面と同一の箇所と異なる態様で前記端末表示部に表示させる、
請求項６に記載の設定補助システム。
【請求項８】
前記設定管理部は、前記第１設定画面において設定内容が更新されると、前記第１設定画面において更新された設定内容と同等の設定内容に、前記第２設定画面における設定内容を更新する、
請求項５から７のいずれか一項に記載の設定補助システム。
【請求項９】
前記設定補助装置は、前記第１通信端末の設定内容が更新された複数の日付に関連付けられた複数の設定情報を記憶する記憶部をさらに有し、
前記表示制御部は、前記複数の日付から選択された設定情報に対応する前記第１設定画面を前記表示装置に表示させる、
請求項１から８のいずれか一項に記載の設定補助システム。
【請求項１０】
前記設定補助装置は、前記通信端末のユーザの識別情報に関連付けて、前記ユーザが使用していた機種変更前の前記第１通信端末の仕様情報と、機種変更後の前記第２通信端末の仕様情報とを記憶する記憶部をさらに有し、
前記表示制御部は、前記第１通信端末の仕様情報に対応する設定画面と、前記第２通信端末の仕様情報に対応する設定画面とを前記表示装置に表示させる、
請求項１から９のいずれか一項に記載の設定補助システム。
【請求項１１】
通信回線を利用した通信が可能な通信端末に情報を提供する設定補助装置であって、
第１通信端末の設定画面に対応する第１設定画面を表示装置に表示させる表示制御部と、
前記第１設定画面において設定された設定内容を前記第１通信端末と異なる第２通信端末に設定させるための設定情報を作成する情報作成部と、
前記情報作成部が作成した前記設定情報を前記第２通信端末に送信する装置通信部と、
を有する設定補助装置。
【請求項１２】
通信回線を利用した通信が可能な通信端末と、前記通信端末に情報を提供する設定補助装置と、を備える設定補助システムにおいて実行される設定補助方法であって、
第１通信端末の設定画面に対応する第１設定画面を表示装置に表示させるステップと、
前記第１設定画面において設定された設定内容を前記第１通信端末と異なる第２通信端末に設定させるための設定情報を作成するステップと、
作成した前記設定情報を前記第２通信端末に送信するステップと、
前記第２通信端末が前記設定補助装置から前記設定情報を受信すると、前記設定情報に基づいて、前記第２通信端末の設定内容を更新するステップと、
を有する設定補助方法。
【発明の詳細な説明】
【技術分野】
【０００１】
本発明は、通信端末の設定を補助するための設定補助システム、設定補助装置及び設定補助方法に関する。
【背景技術】
【０００２】
通信端末が多機能になる中、通信端末の操作方法がわからないユーザを支援する方法が検討されている。特許文献１には、通信端末のユーザがヘルプボタンを押すことにより、ユーザが操作支援をしていることが他の通信端末に通知され、他の通信端末からヘルプボタンを押したユーザの通信端末に対して操作方法を案内する情報を送信できるシステムが開示されている。
【先行技術文献】
【特許文献】
【０００３】
【特許文献１】特開２０１０−１４１７８９号公報
【発明の概要】
【発明が解決しようとする課題】
【０００４】
従来のシステムにおいては、通信端末のユーザがヘルプボタンを押したことにより、操作に関する案内情報が通信端末から出力される。しかしながら、ユーザが通信端末の機種やＯＳ（Operating System）を変更した場合、従来使用していた通信端末とユーザインターフェースが大きく異なる場合がある。例えば、各種の設定を行うための画面の構成や設定項目の名称が異なる場合がある。ユーザインターフェースが異なると、案内情報が表示されたとしても、ユーザが適切な操作をすることが困難であり、ユーザが各種の設定を行うまでに長時間を要してしまうという問題があった。
【０００５】
そこで、本発明はこれらの点に鑑みてなされたものであり、通信端末の仕様を変更した場合の設定をしやすくするための設定補助システム、設定補助装置及び設定補助方法を提供することを目的とする。
【課題を解決するための手段】
【０００６】
本発明の第１の態様の設定補助システムは、通信回線を利用した通信が可能な通信端末と、前記通信端末に情報を提供する設定補助装置と、を備える設定補助システムであって、前記設定補助装置は、第１通信端末の設定画面に対応する第１設定画面を表示装置に表示させる表示制御部と、前記第１設定画面において設定された設定内容を前記第１通信端末と異なる第２通信端末に設定させるための設定情報を作成する情報作成部と、前記情報作成部が作成した前記設定情報を前記第２通信端末に送信する装置通信部と、を有し、前記第２通信端末は、前記設定補助装置から前記設定情報を受信すると、前記設定情報に基づいて、前記第２通信端末の設定内容を更新する設定管理部を有する。
【０００７】
前記表示制御部は、前記情報作成部が作成した前記設定情報に基づいて設定内容が設定された状態の、前記第２通信端末の設定画面に対応する第２設定画面を前記表示装置に表示させてもよい。
【０００８】
前記表示制御部は、前記第１設定画面において前記第２設定画面と異なる箇所を、前記第２設定画面と同一の箇所と異なる態様で前記表示装置に表示させてもよい。
【０００９】
前記表示制御部は、前記第１設定画面において設定内容が更新されると、前記第１設定画面において更新された設定内容と同等の設定内容に、前記第２設定画面における設定内容を更新してもよい。
【００１０】
前記設定管理部は、前記情報作成部が作成した前記設定情報に基づいて設定内容が設定された状態の第２設定画面を、前記第２通信端末が有する端末表示部に表示させてもよい。前記設定管理部は、前記第１設定画面を前記端末表示部にさらに表示させてもよい。
【００１１】
前記設定管理部は、前記第１設定画面において前記第２設定画面と異なる箇所を、前記第２設定画面と同一の箇所と異なる態様で前記端末表示部に表示させてもよい。また、前記設定管理部は、前記第１設定画面において設定内容が更新されると、前記第１設定画面において更新された設定内容と同等の設定内容に、前記第２設定画面における設定内容を更新してもよい。
【００１２】
前記設定補助装置は、前記第１通信端末の設定内容が更新された複数の日付に関連付けられた複数の設定情報を記憶する記憶部をさらに有し、前記表示制御部は、前記複数の日付から選択された設定情報に対応する前記第１設定画面を前記表示装置に表示させてもよい。
【００１３】
前記設定補助装置は、前記通信端末のユーザの識別情報に関連付けて、前記ユーザが使用していた機種変更前の前記第１通信端末の仕様情報と、機種変更後の前記第２通信端末の仕様情報とを記憶する記憶部をさらに有し、前記表示制御部は、前記第１通信端末の仕様情報に対応する設定画面と、前記第２通信端末の仕様情報に対応する設定画面とを前記表示装置に表示させてもよい。
【００１４】
本発明の第２の態様の設定補助装置は、通信回線を利用した通信が可能な通信端末に情報を提供する設定補助装置であって、第１通信端末の設定画面に対応する第１設定画面を表示装置に表示させる表示制御部と、前記第１設定画面において設定された設定内容を前記第１通信端末と異なる第２通信端末に設定させるための設定情報を作成する情報作成部と、前記情報作成部が作成した前記設定情報を前記第２通信端末に送信する装置通信部と、を有する。
【００１５】
本発明の第３の態様の設定補助方法は、通信回線を利用した通信が可能な通信端末と、前記通信端末に情報を提供する設定補助装置と、を備える設定補助システムにおいて実行される設定補助方法であって、第１通信端末の設定画面に対応する第１設定画面を表示装置に表示させるステップと、前記第１設定画面において設定された設定内容を前記第１通信端末と異なる第２通信端末に設定させるための設定情報を作成するステップと、作成した前記設定情報を前記第２通信端末に送信するステップと、前記第２通信端末が前記設定補助装置から前記設定情報を受信すると、前記設定情報に基づいて、前記第２通信端末の設定内容を更新するステップと、を有する。
【発明の効果】
【００１６】
本発明によれば、通信端末の仕様を変更した場合の設定をしやすくすることができるという効果を奏する。
【図面の簡単な説明】
【００１７】
【図１】第１の実施形態に係る設定補助システムの構成を示す図である。
【図２】設定補助装置の構成を示す図である。
【図３】表示制御部が表示装置に表示させた設定画面の一例を示す図である。
【図４】設定項目データベースの一例を示す図である。
【図５】第１設定画面において設定内容が変更された場合の第１設定画面及び第２設定画面を示す図である。
【図６】第１通信端末及び第２通信端末の構成を示す図である。
【図７】設定補助装置、第１通信端末及び第２通信端末の間での処理の流れを示すシーケンス図である。
【図８】設定補助装置、第１通信端末及び第２通信端末の間での処理の流れを示すシーケンス図である。
【発明を実施するための形態】
【００１８】
＜第１の実施形態＞
［設定補助システムＳの概要］
図１は、第１の実施形態に係る設定補助システムＳの構成を示す図である。設定補助システムＳは、設定補助装置１と、設定補助装置１に接続された表示装置２と、第１通信端末３と、第２通信端末４とを備える。設定補助装置１は、第１通信端末３及び第２通信端末４との間で、Ｗｉ−Ｆｉ（登録商標）、Ｂｌｕｅｔｏｏｔｈ（登録商標）、又は携帯電話回線を介してデータを送信できる。
【００１９】
第１通信端末３及び第２通信端末４は、通信回線を利用した通信が可能な端末であり、例えば携帯電話網の無線通信回線にアクセス可能なスマートフォン又はタブレット等である。第１通信端末３は、ユーザが従来使用していた旧端末である。第２通信端末４は、ユーザが新たに使用を開始する新端末である。本実施の形態においては、ユーザが、第１通信端末３から第２通信端末４に機種変更をすることが想定されている。
【００２０】
表示装置２は、設定補助装置１から入力された情報を表示可能なディスプレイである。ディスプレイの画面上にはタッチパネルが設けられており、表示装置２は、ユーザがタッチ操作を行った位置を検出し、検出した操作位置を設定補助装置１に通知する。なお、表示装置２は、第１通信端末３又は第２通信端末４に設けられたディスプレイであってもよい。
【００２１】
設定補助装置１は、通信端末の設定に必要な情報を提供するコンピュータである。設定補助装置１は、例えば通信端末の販売店に設置されている。設定補助装置１は、通信端末の販売店に設置されたコンピュータからアクセス可能なサーバであってもよい。
【００２２】
設定補助装置１において設定支援用のアプリケーションソフトウェア（以下、設定用アプリという）が起動されると、設定補助装置１は、第１通信端末３の設定情報を取得できる状態になる。第１通信端末３は、第１通信端末３におけるユーザの操作に応じて、又は設定補助装置１からの要求に応じて、内蔵する不揮発性メモリに記憶されている設定情報を設定補助装置１に送信する。
【００２３】
設定補助装置１は、第１通信端末３から受信した設定情報に基づいて、第１通信端末３の設定画面を表示装置２に表示させる。設定補助装置１は、第１通信端末３に表示される設定画面と同等の第１設定画面を表示装置２に表示させる。ユーザは、表示装置２に表示された第１設定画面を用いて、第１通信端末３における操作と同等の操作を行うことができる。
【００２４】
設定補助装置１は、機種変更後の第２通信端末４の第２設定画面も表示装置２に表示させてもよい。例えば、設定補助装置１は、ユーザの操作により、第２通信端末４の型名を取得すると、第２通信端末４の型名に対応する第２設定画面に関する情報をハードディスク等の記憶媒体から読み出すことにより、第２通信端末４の第２設定画面を表示装置２に表示させる。この際、設定補助装置１は、第１通信端末３における設定状態と同等の設定状態にした第２通信端末４の第２設定画面を表示させる。
【００２５】
第１通信端末３と第２通信端末４とが異なる機種である場合、それぞれの設定画面は異なる場合がある。設定補助装置１は、表示装置２において第１通信端末３の第１設定画面内の設定内容が変更されると、第２通信端末４の第２設定画面内の設定項目のうち、第１設定画面において設定内容が変更された設定項目を特定し、特定した設定項目の設定内容も第１設定画面と同じように変更する。このようにすることで、ユーザは、機種変更後の第２通信端末４における設定画面が、機種変更前の第１通信端末３における設定画面にどのように対応するのかを把握しやすくなる。
【００２６】
ユーザは、表示装置２において、使い慣れた第１通信端末３の設定画面における設定内容を確認し、問題がなければ、第２通信端末４に設定内容を反映する指示を入力する。設定補助装置１は、ユーザからの指示に応じて、第２通信端末４に設定情報を送信する。第２通信端末４が、受信した設定情報を登録することにより、第１通信端末３で設定されていた内容が、第２通信端末４に反映される。このようにすることで、ユーザは、使い慣れた第１通信端末３と同等の第１設定画面を用いて操作をするだけで、機種変更後の第２通信端末４の設定を行うことができる。
以下、設定補助装置１、第１通信端末３及び第２通信端末４の構成及び動作について詳細に説明する。
【００２７】
［設定補助装置１の構成］
図２は、設定補助装置１の構成を示す図である。設定補助装置１は、装置通信部１１と、表示制御部１２と、操作受付部１３と、装置記憶部１４と、情報作成部１５と、を有する。
装置通信部１１は、通信回線を介して第１通信端末３から設定情報を受信し、第２通信端末４に設定情報を送信するための通信インターフェースを有する。装置通信部１１は、例えばＷｉ−Ｆｉコントローラを有する。装置通信部１１は、第１通信端末３から送信される設定情報を受信し、受信した設定情報を情報作成部１５に通知する。また、装置通信部１１は、情報作成部１５から取得した設定情報を第２通信端末４に対して送信する。
【００２８】
表示制御部１２は、情報作成部１５が作成した設定画面を表示装置２に表示させる。具体的には、表示制御部１２は、第１通信端末３の設定画面に対応する第１設定画面を表示装置２に表示させる。表示制御部１２は、情報作成部１５が作成した設定情報に基づいて設定内容が設定された状態の、第２通信端末４の設定画面に対応する第２設定画面をさらに表示装置２に表示させてもよい。
【００２９】
図３は、表示制御部１２が表示装置２に表示させた設定画面の一例を示す図である。図３（ａ）は、第１通信端末３の設定画面を示しており、図３（ｂ）は、第２通信端末４の設定画面を示している。第１通信端末３と第２通信端末４とは異なる機種なので、共にＷｉ−Ｆｉ詳細設定に関する設定画面でありながらも、設定画面のデザインや設定項目の内容が異なっている。図３（ａ）における「×」印が付されている設定項目は、設定項目が示す機能がオン状態になっていることを示している。また、図３（ｂ）における「○」が右側にある設定項目は、設定項目が示す機能がオン状態になっていることを示している。
【００３０】
表示制御部１２は、ユーザが、第１通信端末３の第１設定画面と第２通信端末４の第２設定画面との違いを認識しやすくするために、第２設定画面において第１設定画面と異なる箇所を、第１設定画面と同一の箇所と異なる態様で表示装置に表示させる。図３の例において、図３（ｂ）における「Ｗｉ−Ｆｉ常時接続」及び「スキャン常時アクティブ」は、それぞれ図３（ａ）における「スリープ時のＷｉ−Ｆｉ接続」及び「スキャンを常に実行する」に対応する。そこで、表示制御部１２は、第１設定画面に含まれる設定項目と第２設定画面に含まれる設定項目が、同等の内容でありながらも表現が異なる場合、第２設定画面における設定項目を第１の態様（図３（ｂ）においては斜体字）で表示させる。
【００３１】
また、図３（ｂ）における「Ｗｉ−Ｆｉ  Ｄｉｒｅｃｔ」及び「ＷＰＳプッシュボタン」は、図３（ａ）に含まれていない設定項目である。表示制御部１２は、一方の設定画面にのみ存在する設定項目を、第２の態様（図３（ｂ）においては下線付き文字）で表示させる。
【００３２】
操作受付部１３は、表示装置２においてユーザの操作位置を取得することにより、ユーザの操作内容を特定することで、ユーザの操作を受け付ける。操作受付部１３は、受け付けた操作の内容を情報作成部１５に通知する。
【００３３】
装置記憶部１４は、ＲＯＭ（Read Only Memory）、ＲＡＭ（Random Access Memory）及びハードディスク等の記憶媒体を有する。装置記憶部１４は、情報作成部１５が実行するプログラムを記憶している。また、装置記憶部１４は、通信端末の型名に関連付けて設定画面を記憶している。装置記憶部１４は、設定画面に含まれる各種の設定項目が、共通設定項目番号（以下、設定項目ＩＤという）に関連付けられた設定項目データベースを記憶している。
【００３４】
図４は、設定項目データベースの一例を示す図である。図４（ａ）は、第１通信端末３の設定項目と設定項目ＩＤとが関連付けられたレコードであり、図４（ｂ）は、第２通信端末４の設定項目と設定項目ＩＤとが関連付けられたレコードである。図４（ａ）に示す設定項目と図４（ｂ）に示す設定項目とを比較すると、一部の設定項目の表現が異なっている。また、図４（ｂ）にのみ示されている設定項目が存在する。
【００３５】
設定項目データベースにおいては、設定項目の表現が異なっているとしても、同等の内容の設定項目には、同一の設定項目ＩＤが割り当てられている。例えば、図４（ａ）における「スリープ時のＷｉ−Ｆｉ接続」には設定項目ＩＤとして０００２が割り当てられており、図４（ｂ）における「Ｗｉ−Ｆｉ常時接続」にも設定項目ＩＤとして０００２が割り当てられている。
【００３６】
これに対して、図４（ａ）に含まれておらず、図４（ｂ）にのみ含まれている設定項目に対しては、図４（ａ）の設定項目に割り当てられていない設定項目ＩＤが割り当てられている。例えば、図４（ｂ）における「ＷＰＳプッシュボタン」という設定項目に対応する設定項目は図４（ａ）にないので、「ＷＰＳプッシュボタン」には、図４（ａ）では割り当てられていない設定項目ＩＤとして００１０が割り当てられている。
【００３７】
なお、装置記憶部１４は、第１通信端末３及び第２通信端末４のユーザの識別情報に関連付けて、ユーザが使用していた機種変更前の第１通信端末３の仕様情報と、機種変更後の第２通信端末４の仕様情報とを記憶してもよい。さらに装置記憶部１４は、通信端末の仕様情報に関連付けて、設定項目データベースのレコードを記憶してもよい。仕様情報は、例えば、通信端末の型名、メーカー名、ＯＳの種類、メモリ容量、通信性能等である。この場合、表示制御部１２は、第１通信端末３の仕様情報に対応する第１設定画面と、第２通信端末４の仕様情報に対応する第２設定画面とを表示装置２に表示させる。
【００３８】
図２に戻って、情報作成部１５について説明する。情報作成部１５は、例えばＣＰＵ（Central Processing Unit）が、装置記憶部１４に記憶されたプログラムを実行することにより実現される。情報作成部１５は、第１通信端末３から受信した設定情報に基づいて、第１設定画面を作成する。
【００３９】
また、情報作成部１５は、ユーザにより、変更後の機種が第２通信端末４であることを特定する情報が入力されると、第２通信端末４に対応する第２設定画面（例えば図３（ａ）に示した画面）を作成する。この際、情報作成部１５は、設定項目データベースを参照し、第１通信端末３から受信した設定情報に対応する内容に各設定項目をセットした状態の第２設定画面（例えば図３（ｂ）に示した画面）を作成する。また、情報作成部１５は、第１通信端末３に対応する第１設定画面において設定された設定内容を第２通信端末４に設定させるための設定情報を作成する。
【００４０】
情報作成部１５は、以下の手順により、第２設定画面を作成し、第２通信端末４用の設定情報を作成する。まず、情報作成部１５は、操作受付部１３を介して、ユーザが、表示装置２に表示された第１設定画面においてユーザが操作した内容に基づいて、第１設定画面において設定内容が変更された設定項目、及び変更後の設定内容を特定する。そして、情報作成部１５は、設定項目データベースを参照し、設定内容が変更された設定項目の設定項目ＩＤを特定し、特定した設定項目ＩＤに対応する、第２設定画面における設定項目を特定する。情報作成部１５は、特定した第２設定画面における設定項目を、第１設定画面において変更された設定内容に変更した第２設定画面を作成する。
【００４１】
続いて、情報作成部１５は、作成した第２設定画面を表示制御部１２に送信する。表示制御部１２は、情報作成部１５から新たな第２設定画面を受信すると、第２設定画面を表示装置２に表示させる。このようにして、表示制御部１２は、第１設定画面において設定内容が更新されると、第１設定画面において更新された設定内容と同等の設定内容に、第２設定画面における設定内容を更新する。
【００４２】
図５は、第１設定画面において設定内容が変更された場合の第１設定画面及び第２設定画面を示す図である。図５（ａ）は第１設定画面を示しており、図５（ｂ）は第２設定画面を示している。図５（ａ）においては、図３（ａ）においてオン状態に設定されていた「スキャンを常に実行する」という設定項目が、オフ状態に変更されている。ユーザが、このように「スキャンを常に実行する」という設定項目をオフ状態に変更したことにより、図５（ｂ）においても、「スキャン常時アクティブ」という設定項目がオフ状態に変更されていることがわかる。
【００４３】
このように、情報作成部１５は、第１設定画面における設定内容を反映させた第２設定画面を作成するので、ユーザは、使い慣れた第１設定画面を用いて操作をすることで、第２通信端末４の設定内容をどのように変更すればよいかを把握することができる。
【００４４】
情報作成部１５は、操作受付部１３を介して、第２通信端末４の設定内容を更新するための操作を受けると、表示装置２に表示されている第２設定画面に表示されている設定状態に対応する設定情報を作成する。情報作成部１５は、装置通信部１１を介して、作成した設定情報を第２通信端末４に送信する。第２通信端末４は、受信した設定情報に基づいて設定内容を更新することができる。
【００４５】
このように、ユーザが第１設定画面を用いて設定内容を変更すると、情報作成部１５が、第２設定画面を更新するとともに、更新後の第２設定画面に対応する設定情報を第２通信端末４に送信する。このようにすることで、ユーザは、使い慣れた第１設定画面を用いて操作をして、第２通信端末４の設定内容を変更することができるので、通信端末を新たな機種に変更した場合に好適である。
【００４６】
［第１通信端末３及び第２通信端末４の構成］
図６は、第１通信端末３及び第２通信端末４の構成を示す図である。図６（ａ）は、第１通信端末３の構成を示す図であり、図６（ｂ）は、第２通信端末４の構成を示す図である。
【００４７】
第１通信端末３は、電池３０と、端末通信部３１と、表示部３２と、端末記憶部３３と、端末制御部３４とを有する。端末制御部３４は、例えばＣＰＵであり、端末記憶部３３に記憶されたプログラムを実行することにより、情報送信部３４１及び設定管理部３４２として機能する。電池３０は、第１通信端末３の各部に電力を供給する。
【００４８】
第２通信端末４は、電池４０と、端末通信部４１と、表示部４２と、端末記憶部４３と、端末制御部４４とを有する。端末制御部４４は、例えばＣＰＵであり、端末記憶部４３に記憶されたプログラムを実行することにより、情報送信部４４１及び設定管理部４４２として機能する。電池４０は、第２通信端末４の各部に電力を供給する。
【００４９】
第１通信端末３と第２通信端末４における同一の名称のブロックは同一の機能を有している。以下の説明においては、第１通信端末３の各部の機能を説明し、第２通信端末４の各部の機能の説明は割愛する。
【００５０】
端末通信部３１は、通信回線を介して設定補助装置１との間でデータを送受信するための通信インターフェースを有する。端末通信部３１は、例えばＬＴＥ（Long Time Evolution）の携帯電話網やＷｉ−Ｆｉアクセスポイントにアクセスするための通信コントローラを有する。端末通信部３１は、情報送信部３４１からの指示に基づいて設定情報を設定補助装置１に送信する。また、端末通信部３１は、設定補助装置１から送信される設定情報を受信し、受信した設定情報を設定管理部３４２に通知する。
【００５１】
表示部３２は、情報を表示するディスプレイである。表示部３２は、操作画面を表示する。さらに、表示部３２は、ディスプレイに重ねて設けられたタッチパネルを有しており、ユーザの操作を受け付けることもできる。表示部３２は、受け付けた操作が示す操作内容を端末制御部３４に通知する。
【００５２】
端末記憶部３３は、ＲＯＭ及びＲＡＭ等の記憶媒体を有する。端末記憶部３３は、端末制御部３４が実行するプログラムを記憶している。また、端末記憶部３３は、第１通信端末３の各種の設定内容を記憶している。具体的には、端末記憶部３３は、各種設定項目と設定内容とを関連付けて記憶している。
【００５３】
情報送信部３４１は、ユーザが表示部３２に設けられたタッチパネルを操作することにより入力した操作内容に基づく情報を設定補助装置１に送信する。情報送信部３４１は、例えば、ユーザが、第１通信端末３の設定内容を送信するための操作をした場合、端末通信部４１を介して、端末記憶部３３に記憶されている設定情報を設定補助装置１に送信する。
【００５４】
設定管理部３４２は、設定補助装置１から設定情報を受信すると、設定情報に基づいて、端末記憶部３３に記憶された設定内容を更新する。図１に示すように、第１通信端末３が機種変更前の端末であり、第２通信端末４が機種変更後の端末である場合、第２通信端末４の設定管理部４４２が、設定補助装置１から設定情報を受信し、受信した設定情報に基づいて、端末記憶部４３に記憶された第２通信端末４の設定内容を更新する。
【００５５】
［設定補助システムＳにおける処理シーケンス］
図７は、設定補助装置１、第１通信端末３及び第２通信端末４の間での処理の流れを示すシーケンス図である。まず、設定補助装置１は、第１設定画面及び第２設定画面を表示するための設定用アプリを起動する（Ｓ１１）。設定補助装置１は、ユーザが表示装置２において行った起動操作に基づいて設定用アプリを起動してもよく、第１通信端末３又は第２通信端末４から設定アプリの起動を要求するコマンドを受信したことに応じて設定用アプリを起動してもよい。
【００５６】
続いて、第１通信端末３において設定情報を送信するための操作が行われると（Ｓ１２）、第１通信端末３の情報送信部３４１は、端末記憶部３３に記憶されている設定情報を設定補助装置１に送信する（Ｓ１３）。
【００５７】
続いて、設定補助装置１の情報作成部１５は、機種変更前の第１通信端末３の型名及び機種変更後の第２通信端末４の型名を特定する（Ｓ１４）。情報作成部１５は、例えば、第１通信端末３から送信された設定情報に含まれる第１通信端末３の型名を示す情報に基づいて、第１通信端末３の型名を特定する。また、情報作成部１５は、ユーザにより入力された情報に基づいて、第２通信端末４の型名を特定する。
【００５８】
情報作成部１５は、特定した第１通信端末３及び第２通信端末４の型名、並びに第１通信端末３から受信した設定情報に基づいて、第１設定画面及び第２設定画面を作成する。情報作成部１５は、表示制御部１２を介して、第１設定画面及び第２設定画面を表示装置２に表示させる（Ｓ１５）。
【００５９】
第１設定画面及び第２設定画面が表示装置２に表示されている間、操作受付部１３は、設定内容を変更する操作が行われるかどうかを監視する（Ｓ１６）。操作受付部１３がユーザの設定変更操作を受け付けると（Ｓ１６においてＹＥＳ）、情報作成部１５は、ユーザの操作内容に応じて設定内容を変更した後の第１設定画面及び第２設定画面を作成する。表示制御部１２は、表示装置２に表示している設定画面を、情報作成部１５が作成した第１設定画面及び第２設定画面に更新する（Ｓ１７）。
【００６０】
続いて、操作受付部１３は、表示装置２に表示中の第２設定画面が示している設定内容を第２通信端末４に設定するための操作が行われるかどうかを監視する（Ｓ１８）。情報作成部１５は、操作受付部１３が、第２設定画面が示している設定情報を第２通信端末４に設定するための操作を受け付けると、第２通信端末４に送信するための設定情報を作成する（Ｓ１９）。
【００６１】
情報作成部１５は、装置通信部１１を介して、作成した設定情報を第２通信端末４に送信する（Ｓ２０）。第２通信端末４の設定管理部４４２は、受信した設定情報を登録する（Ｓ２１）。具体的には、設定管理部４４２は、端末記憶部４３内の設定項目の内容を、設定情報が示す内容に更新する（Ｓ２１）。
【００６２】
［設定補助システムＳによる効果］
以上説明したように、設定補助装置１においては、表示制御部１２が、第１通信端末３の設定画面に対応する第１設定画面を表示装置２に表示させる。そして、情報作成部１５は、第１設定画面において設定された設定内容を第２通信端末４に設定させるための設定情報を作成し、作成した設定情報を第２通信端末４に送信する。このようにすることで、ユーザは、使い慣れた第１通信端末３の第１設定画面を見ながら設定内容を変更し、変更した設定内容を第２通信端末４に反映させることができる。その結果、ユーザが第２通信端末４に使い慣れていない状態であっても、容易に適切な内容に設定することができる。
【００６３】
＜第２の実施形態＞
第１の実施形態においては、設定補助装置１が、第２設定画面を表示装置２に表示させた。これに対して、第２の実施形態においては、設定補助装置１が、第２通信端末４に第２設定画面を表示させる点で、第１の実施形態と異なる。
【００６４】
情報作成部１５は、第２通信端末４に第２設定画面を表示させるために、第１設定画面の内容に対応する設定情報を作成し、第２通信端末４に送信する。第２通信端末４においては、設定管理部４４２が、情報作成部１５が作成した設定情報に基づいて設定内容が設定された状態の第２設定画面を、第２通信端末４が有する表示部４２に表示させる。設定管理部４４２は、第１設定画面において設定内容が更新されると、第１設定画面において更新された設定内容と同等の設定内容に、表示部４２に表示した第２設定画面における設定内容を更新する。
【００６５】
［処理シーケンス］
図８は、設定補助装置１、第１通信端末３及び第２通信端末４の間での処理の流れを示すシーケンス図である。図８におけるステップＳ１１〜Ｓ１４は、図７に示したシーケンス図と同じであるので、説明を省略する。
【００６６】
情報作成部１５は、第１通信端末３及び第２通信端末４の型名を特定すると、表示装置２に表示させる第１設定画面と第２通信端末４に表示させる第２設定画面とを作成する（Ｓ３１）。情報作成部１５は、第１設定画面を表示装置２に送信し、第２設定画面を第２通信端末４に送信する（Ｓ３２）。
【００６７】
第２通信端末４においては、設定管理部４４２が第２設定画面を受信すると、受信した第２設定画面を表示部４２に表示させる（Ｓ３３）。続いて、操作受付部１３が第１設定画面において設定内容を変更する操作を受け付けると（Ｓ３４）、情報作成部１５は、変更操作の内容に応じた設定情報を作成し（Ｓ３５）、作成した設定情報を第２通信端末４に送信する（Ｓ３６）。
【００６８】
第２通信端末４の設定管理部４４２は、更新された設定情報を受信すると、表示部４２に表示している第２設定画面を設定情報に基づいて更新するとともに、受信した設定情報を、端末記憶部４３に記憶されている設定内容に反映する（Ｓ３７）。
【００６９】
［変形例］
情報作成部１５は、第２通信端末４用の設定情報とともに、第１通信端末３に対応する第１設定画面の画像情報を第２通信端末４に送信してもよい。第２通信端末４は、第１設定画面の画像情報を受信すると、第１設定画面を表示部４２にさらに表示させてもよい。
【００７０】
設定管理部４４２は、第２通信端末４の小さな画面に第１設定画面及び第２設定画面を表示するために、例えば、第１設定画面と第２設定画面とを重ねて表示し、ユーザが表示する設定画面に対応するタブを選択したことに応じて、選択された設定画面を上に表示する。設定管理部４４２は、第１設定画面において第２設定画面と異なる箇所を、第２端末画面と同一の箇所と異なる態様で表示部４２に表示させる。
【００７１】
設定管理部４４２は、ユーザが、第１設定画面を操作して設定内容を変更すると、第１設定画面を特定するための画面識別情報と、変更後の設定内容とを含む設定変更情報を設定補助装置１に送信する。設定補助装置１の情報作成部１５は、受信した設定変更情報に基づいて、第２通信端末４の設定情報を作成し、作成した設定情報を第２通信端末４に送信する。第２通信端末４は、受信した設定情報に基づいて、表示部４２に表示している第２設定画面を更新するとともに、更新後の設定内容を登録する。
【００７２】
＜第３の実施形態＞
第１の実施形態及び第２の実施形態においては、第１設定画面において入力された内容が、第２通信端末４の設定内容に反映された。これに対して、第３の実施形態においては、過去の設定内容を第２通信端末４の設定内容に反映させることができる点で、第１の実施形態及び第２の実施形態と異なる。
【００７３】
第３の実施形態に係る装置記憶部１４は、第１通信端末３の設定内容が更新された複数の日付に関連付けられた複数の設定情報を記憶する。そして、表示制御部１２は、複数の日付から選択された日付に関連付けられた設定情報に対応する第１設定画面を表示装置２に表示させる。このようにするために、情報作成部１５は、第１通信端末３から設定情報を取得するたびに、取得した設定情報を取得した日付に関連付けて、取得した設定情報を装置記憶部１４に記憶させる。
【００７４】
情報作成部１５は、設定用アプリが起動されると、装置記憶部１４に記憶されている一以上の設定情報が登録された日付を表示装置２に表示する。操作受付部１３は、日付を選択する操作を受け付けると、選択された日付を情報作成部１５に通知する。情報作成部１５は、通知された日付に対応する設定情報を装置記憶部１４から読み出し、読み出した設定情報に基づいて、第１設定画面及び第２設定画面を作成する。このようにすることで、ユーザが、第２通信端末４の設定内容を、過去に用いていた設定内容と同一にすることが可能になる。
【００７５】
＜第４の実施形態＞
第１の実施形態及び第２の実施形態においては、第１設定画面において入力された内容が、第２通信端末４の設定内容に反映された。これに対して、第４の実施形態においては、第２設定画面において入力された内容が、第１通信端末３に対応する第１設定画面に反映されるという点で異なる。
【００７６】
操作受付部１３は、第２設定画面における操作を受け付けると、操作内容を情報作成部１５に通知する。操作受付部１３は、例えば、操作された設定項目及び変更された設定内容を情報作成部１５に通知する。情報作成部１５は、操作受付部１３から操作された操作内容の通知を受けると、通知された操作内容に対応する第１設定画面における設定項目を特定し、特定した設定項目の表示態様（例えば、色又は模様）を変化させた第１設定画面を作成する。情報作成部１５は、さらに設定内容を変更した第１設定画面を作成してもよい。このようにすることで、第２通信端末４に機種変更したユーザは、第２通信端末４に対応する第２設定画面を操作することにより、第２設定画面内の設定項目が、第１通信端末３のどの設定項目に対応するかを容易に認識することができる。
【００７７】
なお、情報作成部１５は、第１の実施形態のように、表示装置２に第１設定画面及び第２設定画面を表示させた状態で、第２設定画面における操作内容に応じて第１設定画面を変化させてもよく、第２の実施形態のように、第２通信端末４に第１設定画面及び第２設定画面を表示させた状態で、第２設定画面における操作内容に応じて第１設定画面を変化させてもよい。
【００７８】
また、第２通信端末４に第１設定画面及び第２設定画面を表示させる場合、設定補助装置１を介することなく、端末制御部４４が第１設定画面及び第２設定画面を作成することにより実現してもよい。第２通信端末４が第１通信端末３よりも新しい機種である場合、第２通信端末４の端末記憶部４３に、第１通信端末３の第１設定画面のデータ、及び第１設定画面における設定項目と第２設定画面における設定項目との関係を記憶しておくことができる。この場合、第２通信端末４の端末制御部４４は、端末記憶部４３に記憶された第１設定画面のデータ、及び第１設定画面における設定項目と第２設定画面における設定項目との関係に基づいて、第１設定画面及び第２設定画面のいずれかが操作された場合に、他方の画面の対応する設定項目の表示態様を変化させる。このようにすることで、第２通信端末４は、設定補助装置１を介することなく、ユーザに、第２設定画面内の設定項目が、第１通信端末３のどの設定項目に対応するかを容易に認識させることができる。
【００７９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８０】
１  設定補助装置
１１  装置通信部
１２  表示制御部
１３  操作受付部
１４  装置記憶部
１５  情報作成部
２  表示装置
３  第１通信端末
３０  電池
３１  端末通信部
３２  表示部
３３  端末記憶部
３４  端末制御部
３４１  情報送信部
３４２  設定管理部
４  第２通信端末
４０  電池
４１  端末通信部
４２  表示部
４３  端末記憶部
４４  端末制御部
４４１  情報送信部
４４２  設定管理部
【図１】
2018056754.tif 000003
【図２】
2018056754.tif 000004
【図３】
2018056754.tif 000005
【図４】
2018056754.tif 000006
【図５】
2018056754.tif 000007
【図６】
2018056754.tif 000008
【図７】
2018056754.tif 000009
【図８】
2018056754.tif 000010